(57)【要約】【課題】導光部材を別途設ける必要がないため、必要とされる部品の点数を削減できるとともに、表示窓に対して均一な照射状態となり、明るさのムラが生じることを防止することができる電子機器用外装ケース、及び当該電子機器用外装ケースを備えたプロジェクタを提供すること。【解決手段】外面に表示窓２６３を備えた電子機器用外装ケース２であって、前記外装ケース２内部に設けられた基板８上に実装された発光体８１と、前記表示窓２６３から前記発光体８１に対して、前記発光体８１を囲み、前記表示窓２６３から前記発光体８１に向かって広がる略錐台形状の中空部９１を有するボス９が形成されていることを特徴とする電子機器用外装ケース２、及び当該電子機器用外装ケースを備えたプロジェクタ。【選択図】  図１０
2005043601.tif 000002
【特許請求の範囲】
【請求項１】
外面に表示窓を備えた電子機器用外装ケースであって、
前記外装ケース内部に設けられた基板上に実装された発光体と、
前記表示窓から前記発光体に対して、前記発光体を囲み、前記表示窓から前記発光体に向かって広がる略錐台形状の中空部を有するボスが形成されていることを特徴とする電子機器用外装ケース。
【請求項２】
請求項１に記載の電子機器用外装ケースにおいて、
前記表示窓を備えた操作パネルが外面に設けられており、
前記操作パネルは透明部材に覆われ、
前記透明部材の前記操作パネルに設けられた表示窓に応じた位置に対して光拡散処理が施されていることを特徴とする電子機器用外装ケース。
【請求項３】
請求項２記載の電子機器用外装ケースにおいて、
前記光拡散処理がシボ加工であることを特徴とする電子機器用外装ケース。
【請求項４】
光源と、この光源から射出された画像変調された光束を画像情報に応じて変調して光学像を形成する光変調装置と、光変調装置で形成された光学像を拡大投射する拡大投射系と、これらを収納する外装ケースとを備えたプロジェクタであって、前記外装ケースが請求項１ないし請求項３の何れかに記載の電子機器用外装ケースであることを特徴とするプロジェクタ。
【発明の詳細な説明】
【０００１】
【発明の属する技術分野】
本発明は、電子機器用外装ケース、および当該外装ケースを備えたプロジェクタに関する。
【０００２】
【背景技術】
従来より、プロジェクタ等の電子機器、光学機器にあっては、当該機器を構成する外装ケースの内部に複数の光学部品を収容し、当該光学部品を用いて、光源から射出された光束を変調した後に拡大投写して投写画像を形成している。
かかるプロジェクタ等の光学機器において、光学機器に備えられる外装ケースの外面には、電源の入／切などプロジェクタの動作状態等を表示するインジケータ部が設けられる。また、このインジケータ部は、外装ケースに表示窓を設ける一方、外装ケース内部に備えられた基板に実装された発光ダイオード（ＬＥＤ）等の発光体を、プロジェクタの動作状態に応じて発光させ、かかる発光ダイオードから照射された光を、前記した表示窓から確認するのが一般的であった。また、かかる表示窓は、当該光学機器の操作を実施する操作パネルに対して設けられることが多かった。
【０００３】
そして、基板に実装される発光ダイオード（ＬＥＤ）から照射された光を外装ケースや操作パネルに設けられる表示窓まで伝達するには、発光ダイオードから表示窓の光経路に対して導光部材を取り付ける等により行われており（例えば、特許文献１）、当該発光ダイオード（ＬＥＤ）から照射された光が導光部材を通じて発光され、表示窓を照明するような構成がとられていた。
【０００４】
【特許文献１】
特開平７−６８８９９号公報（図７）
【０００５】
【発明が解決しようとする課題】
しかしながら、従来の操作パネルにあっては、発光ダイオード（ＬＥＤ）に対して別途導光部材を備える必要があるため、部材点数が増加して、製造工程増や製造コスト高につながってしまうという問題があった。
また、従来の技術では、発光ダイオード（ＬＥＤ）に対する当該導光部材の位置決め固定が難しい等の事情もあり、使用者が表示窓を見る角度によっては、光の明るさにムラが生じてしまう等の問題もあった。
【０００６】
本発明の目的は、前記の課題に鑑みてなされたものであり、導光部材を別途設ける必要がないため、必要とされる部品の点数を削減できるとともに、表示窓に対して均一な照射状態となり、明るさのムラが生じることを防止することができる電子機器用外装ケース、及び当該電子機器用外装ケースを備えたプロジェクタを提供することにある。
【０００７】
【課題を解決するための手段】
本発明の電子機器用外装ケースは、外面に表示窓を備えた電子機器用外装ケースであって、前記外装ケース内部に設けられた基板上に実装された発光体と、前記表示窓から前記発光体に対して、前記発光体を囲み、前記表示窓から前記発光体に向かって広がる略錐台形状の中空部を有するボスが形成されていることを特徴とする。
【０００８】
本発明の電子機器用外装ケースには、電源の入／切など、当該光学機器の動作状態等を表示する表示窓がインジケータ部として設けられる。この表示窓は、光学機器の動作状態に応じて発光する、電子機器用外装ケース内部に設けられた基板上に実装された発光体の照射する光を確認可能として、当該外装ケース外部から電子機器の動作状態を表示することができる。
ここで、電子機器用外装ケース内部に設けられた基板上に実装される発光体としては、例えば、発光ダイオード（ＬＥＤ）等が挙げられる。
そして、電子機器用外装ケースが採用される光学機器としては、例えば、プロジェクタ等の各種光学機器が挙げられる。
【０００９】
このような本発明によれば、外装ケースに設けられた表示窓から内部に設けられた基板上に実装された発光体を囲むボスが形成されているため、当該発光体から照射された光を操作パネルに設けられた表示窓に簡便に導くことができるばかりか、当該ボスは外装ケースと一体化しており別途導光部材を設ける必要もないため、部材点数の増加を防止することができ、製造工程や製造コストの減少を図ることができる。
また、当該ボスの中空部が、基板上に実装された発光体を囲み、表示窓から発光体に向かって広がる略錐台形状となっているため、表示窓に対する発光体の位置決めをすることもなく、表示窓に対して均一な照射状態となり、明るさのムラが生じることを防止することができる。
【００１０】
本発明では、前記表示窓を備えた操作パネルが外面に設けられており、前記操作パネルは透明部材に覆われ、前記透明部材の前記操作パネルに設けられた表示窓に応じた位置に対して光拡散処理が施されていることが好ましい。
このような本発明によれば、表示窓を備えた操作パネルが外面に備えられており、操作パネルが透明部材で覆われているため、基板上に実装された発光体から照射された光は適宜拡散されることになり、また、かかる透明部材における、操作パネルの表示窓に対応する位置に対して光拡散処理が施されているため、指向性が調整され、どの方向から見ても明るくかつ視野角の広いインジケータ部を有する操作パネルとすることができる。
ここで、電子機器用外装ケースの外面に設けられる操作パネルは、電子機器用外装ケースが採用される光学機器の起動や調整等の操作を行うものであり、表示窓の他、操作ボタン等が設けられる。
【００１１】
本発明では、前記した光拡散処理がシボ加工であることが好ましい。
このような本発明によれば、光拡散処理がシボ加工によりなされているため、指向性が効率よく調整され、どの方向から見ても明るくかつ視野角の広いインジケータ部を有する操作パネルとするという作用・効果を更に好適に享受できる。
なお、透明部材における操作パネルの表示窓に対応する位置に施される光拡散処理としては、前記のシボ加工のほか、例えば、光拡散インクの塗布や印刷等の処理手段を用いることができる。
【００１２】
本発明のプロジェクタは、光源と、この光源から射出された画像変調された光束を画像情報に応じて変調して光学像を形成する光変調装置と、光変調装置で形成された光学像を拡大投射する拡大投射系と、これらを収納する外装ケースとを備えたプロジェクタであって、当該外装ケースが前記した電子機器用外装ケースであることを特徴とする。
かかる構成からなる本発明のプロジェクタによれば、前述した電子機器用外装ケースと同様の作用・効果を享受することができる。
【００１３】
【発明の実施の形態】
以下、本発明の実施形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。図４は、プロジェクタ１の外装ケース２の一部を示す斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２、およびこの外装ケース２から露出する投写レンズ３を備えている。
投写レンズ３は、後述する光変調装置としての液晶パネルで変調形成された光学像を拡大投写する投写光学系としての機能を具備するものであり、レンズ保持筒内部に複数のレンズが収納された組レンズとして構成される。
【００１４】
電子機器用外装ケース（外装ケース）２は、平面略矩形形状の合成樹脂製の筐体であり、プロジェクタ１の光学ユニット（後述）を含む装置本体を収納する。この外装ケース２は、装置本体の上部部分を覆うアッパーケース２１と、装置本体の下部部分を覆うロアーケース２２と、装置本体の前面部分を覆うフロントケース２３と、装置本体の側面部分の一部を覆うサイドケース２４と、装置本体の背面部分を覆うリアケース２５（図３参照）を備えている。
なお、この外装ケース２の上面、前面、側面、底面、背面の角部分は、曲面状に形成されている。
【００１５】
アッパーケース２１は、装置本体の上部を覆う平面略矩形形状の上面部２１Ａと、この上面部２１Ａの長辺方向の一方の端部から略垂下する側面部２１Ｂと、上面部２１Ａの長辺方向の他方の端部の前方部分から略垂下する側面部２１Ｃと、上面部２１Ａの後端部から略垂下する背面部２１Ｄ（図３参照）とを備えている。
上面部２１Ａの後方側略中央部分には、図１または図３に示すように、プロジェクタ１の起動・調整操作を実施する操作パネル２６が左右方向に延びるように設けられている。操作パネル２６の操作ボタン２６１を適宜押下すると、操作パネル２６内部に配置されるここでは図示しない基板に実装されたタクトスイッチと接触し、所望の操作が可能となる。また、前記基板には、ここでは図示しない発光体である発光ダイオード（ＬＥＤ）が取り付けられており、所望の操作に応じて発光するようになっている。さらに、操作パネル２６は、操作ボタン２６１を囲むように配置される透明部材２６２を備えており、前記発光ダイオード（ＬＥＤ）から照射される光は、当該透明部材２６２を介して拡散される。
【００１６】
また、この上面部２１Ａの前方側（図１右側）からは、投写レンズ３を上下左右に動かし、投写レンズ３の位置を調整する投写レンズ位置調整装置３０（図４参照）を構成する２つのダイアル３１１，３２１が露出している。この２つのダイアル３１１，３２１のうち、図１左側に配置されたダイアル３１１をＹ１方向（下方）に動かすと、投写レンズ３がＹ３方向（下方）に動き、ダイアル３１１をＹ２方向（上方）に動かすと、投写レンズ３がＹ４方向（上方）に動くこととなる。
また、図１右側に配置されたダイアル３２１をＸ１方向（プロジェクタ１後方からみて右方向）に動かすと、投写レンズがＸ３方向（右方向）に動き、ダイアル３２１をＸ２方向（プロジェクタ１後方から見て左方向）に動かすと、投写レンズ３がＸ４方向（左方向）に動くこととなる。
さらに、上面部２１Ａの内面側には、図示しないが、投写レンズ３の外周を囲うようなリブが立設されている。
【００１７】
側面部２１Ｃには、複数の羽根板７１１から構成されるルーバ７１が露出する切り欠き２１Ｃ１が形成されている。
また、図３に示すように、背面部２１Ｄには、リアケース２５が係合する切り欠き２１Ｄ１が形成されている。
【００１８】
ロアーケース２２は、図１〜図４に示すように、底面部２２Ａ、側面部２２Ｂ、２２Ｃ、背面部２２Ｄ、前面部２２Ｅを備えている。
底面部２２Ａは、平面略矩形形状であり、この底面部２２Ａのプロジェクタ１の後方側略中央には、固定脚部２２Ａ１が設けられるとともに、前方側長辺方向両端に調整脚部２７が設けられている。
調整脚部２７は、底面部２２Ａから面外方向に進退自在に突出する軸状部材２７１（図５参照）を備えており、プロジェクタ１の投写時におけるプロジェクタ１の上下方向および左右方向の傾斜位置を調整可能としている。
また、底面部２２Ａには、外装ケース２の内部と連通する開口部２２Ａ３が形成されている。
この開口部２２Ａ３は、外装ケース２外部の冷却空気を外装ケース２内部に取り込む吸気口であり、この開口部２２Ａ３には、複数の開口が形成されたカバー２２Ａ５が取り付けられている。
さらに、この底面部２２Ａには、図４に示すように、投写レンズ３の外周を囲うようなリブ２２Ａ６が立設されている。
【００１９】
側面部２２Ｂは、底面部２２Ａの長辺方向の一方の端部から立設されたものであり、図２に示すように、アッパーケース２１の側面部２１Ｂと係合して、外装ケース２の側面を構成する。
この側面部２２Ｂには、アッパーケース２１側に窪んだ窪み部２２Ｂ１が形成されており、この窪み部２２Ｂ１はプロジェクタ１を把持する際に把持部として使用される。
図１に示すように、側面部２２Ｃは、底面部２２Ａの長辺方向の他方の端部の前方側部分から立設されたものであり、アッパーケース２１の側面部２１Ｃと係合して、外装ケース２の側面の一部を構成する。この側面部２２Ｃは、その上端が大きく切りかかれており、この切り欠き２２Ｃ１からルーバ７１が露出する。すなわち、側面部２１Ｃの切り欠き２１Ｃ１と、側面部２２Ｃの切り欠き２２Ｃ１とにより、ルーバ７１が露出する開口が形成される。この開口からは、プロジェクタ１内部を冷却した空気が排出されることとなる。
図３に示すように、背面部２２Ｄは、底面部２２Ａの短辺方向の一方の端部から立設されたものであり、この背面部２２Ｄには、リアケース２５が係合する切り欠き２２Ｄ１が形成されている。すなわち、本実施形態では、背面部２１Ｄ，２２Ｄ、リアケース２５とで、外装ケース２の背面が構成されることとなる。
この背面部２２Ｄには、矩形状の開口２２Ｄ２が形成され、この開口２２Ｄ２からは、インレットコネクタ２２Ｄ３が露出している。インレットコネクタ２２Ｄ３は、外部電源からプロジェクタ１に電力を供給する端子であり、後述する電源ユニットと電気的に接続される。
再度、図１に示すように、前面部２２Ｅは、底面部２２Ａの短辺方向の他方の端部から立設されたものである。この前面部２２Ｅは、フロントケース２３と係合し、これらにより外装ケース２の前面が構成されることとなる。
【００２０】
図１及び図２に示すように、フロントケース２３は、略楕円形状であり、その長手方向端部側（図１右側）に投写レンズ３を露出させるための開口２３１が形成されている。なお、この開口２３１から露出する投写レンズ３には、ここでは図示しないが、開口２３１及び投写レンズ３の外周間の隙間を塞ぐ第１の遮光部材と、投写レンズ３及び投写レンズ位置調整装置３０との間の隙間を塞ぐ第２の遮光部材１２と（図４参照）が取り付けられている。
また、このフロントケース２３の略中央部分には、リモコン受光窓２３２が形成される。このリモコン受光窓２３２の内側には、図示しないリモートコントローラからの操作信号を受信する図示しないリモコン受光モジュールが配置されている。
尚、リモートコントローラには、前述した操作パネル２６に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介して受光部で受光され、後述する制御基板で処理される。
さらに、フロントケース２３の内面には、図４に示すように、投写レンズ３の外周を囲むようにリブ２３４が立設されており、リブ２３４、ロアーケース２２の底面部２２Ａのリブ２２Ａ６、アッパーケース２１の上面部２１Ａのリブとで投写レンズ３の周囲を囲むレンズ室が形成されることとなる。
【００２１】
サイドケース２４は、図１及び図３に示すように、上面部２４Ａと、上面部２４Ａから略垂下した側面部２４Ｃとを備えている。上面部２４Ａは、アッパーケース２１の上面部２１Ａに係合して、外装ケース２の上面を構成する。
側面部２４Ｃは、アッパーケース２１の側面部２１Ｃ、ロアーケース２２の側面部２２Ｃに係合する。
【００２２】
図３に示すように、リアケース２５は、アッパーケース２１の背面部２１Ｄの切り欠き２１Ｄ１と、ロアーケース２２の背面部２２Ｄの切り欠き２２Ｄ１とで形成される開口に嵌め込まれて固定されるものである。
このリアケース２５は平面略矩形形状であり、その長手方向端部近傍には、フロントケース２３と同様のリモコン受光窓２３２が形成されている。
また、このリアケース２５には、外装ケース２内部側に窪んだ凹部２５１が形成されており、この凹部２５１から複数の接続端子２５２が露出している。
接続端子２５２は、外部の電子機器からの画像信号、音声信号等を入力するためのものであり、この接続端子２５２は、リアケース２５の内側に位置するインターフェイス基板に接続されている。
なお、このインターフェイス基板は、後述する制御基板と、電気的に接続されており、このインターフェイス基板にて処理された信号は、制御基板に出力される。
【００２３】
（２）内部構成
図５は、プロジェクタ１の内部構成を示す図である。具体的には、外装ケース２のロアーケース２２のみ残し、アッパーケース２１と、フロントケース２３と、サイドケース２４と、リアケース２５とを外した図である。
外装ケース２の内部には、プロジェクタ１の装置本体が収容されており、この装置本体は、外装ケース２の長手方向に沿って左右方向に延びる光学ユニット４と、この光学ユニット４の上方に配置される制御基板５と、電源ユニット６とを備えている。
（２−１）光学ユニット４の構造
光学ユニット４は、光源装置から射出された光束を画像情報に応じて変調して光学像を形成し、投写レンズ３を介してスクリーン上に投写画像を形成するものである。この光学ユニット４は、図６に示すように、インテグレータ照明光学系４１と、色分離光学系４２と、リレー光学系４３と、光変調装置および色合成光学装置を一体化した光学装置４４と、これら光学部品４１，４２，４３，４４を収納配置する略直方体形状のライトガイド４５（図７参照）とに機能的に大別される。
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
【００２４】
光源装置４１１は、放射光源としての光源ランプ４１１Ａ、リフレクタ４１１Ｂ、およびリフレクタ４１１Ｂの光束射出面を覆う防爆ガラス４１１Ｃを備える。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００２５】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２６】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。なお、このような偏光変換素子４１４は、例えば、特開平８−３０４７３９号公報に紹介されている。
【００２７】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１、４２２により赤（Ｒ）、緑（Ｇ）、青（Ｂ）の３色の色光に分離される。
リレー光学系４３は、入射側レンズ４３１と、一対のリレーレンズ４３３と、反射ミラー４３２，４３５とを備えている。このリレー光学系４３は、色分離光学系４２で分離された色光である青色光を光学装置４４の後述する液晶パネル４４１Ｂまで導く機能を有している。
【００２８】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色用の液晶パネル４４１Ｒに到達する。このフィールドレンズ４１９は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４１９も同様である。
【００２９】
また、ダイクロイックミラー４２１を透過した青色光と緑色光のうちで、緑色光は、ダイクロイックミラー４２２によって反射し、フィールドレンズ４１９を通って、緑色光用の液晶パネル４４１Ｇに到達する。一方、青色光は、ダイクロイックミラー４２２を透過してリレー光学系４３を通り、さらにフィールドレンズ４１９を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３０】
光学装置４４は、入射された光束を画像情報に応じて変調してカラー画像を形成する。この光学装置４４は，色分離光学系４２で分離された各色光が入射される３つの入射側偏光板４４２と、この入射側偏光板４４２の後段に配置される光変調装置としての液晶パネル４４１（４４１Ｒ，４４１Ｇ，４４１Ｂ）および射出側偏光板４４４と、色合成光学装置としてのクロスダイクロイックプリズム４４５とを備える。
【００３１】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３２】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３３】
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３４】
図７は、ライトガイド４５の構造を示す図である。
ライトガイド４５は、射出成形等による合成樹脂製品であり、上述した光学部品４１，４２，４３，４４が収納される下ライトガイド４６と、この下ライトガイド４６の上面の開口部分を塞ぐ蓋状の上ライトガイド４７とを備える。
下ライトガイド４６は、光源装置４１１が収納される光源収納部４８と、光源装置４１１を除く他の光学部品が収納される容器状に形成された部品収納部４９とを備えている。
【００３５】
光源収納部４８は、略箱型形状であり、部品収納部４９側の端面及びこの端面に対向する端面に開口が形成されている。部品収納部４９側の端面に形成された開口は、光源装置４１１から射出された光束を透過させるためのものである。また、部品収納部４９側の端面に対向する端面に形成された開口は、光源装置４１１を光源収納部４８の側方から差し込むようにして収容するための開口である。
部品収納部４９は、上面が開口した略直方体形状であり、その一端は光源収納部４８に接続されている。また、この部品収納部４９の他端には、投写レンズ３がネジ止め固定されるヘッド部５０が取り付けられている。このヘッド部５０は、ライトガイド４５内に設定される照明光軸に対する所定位置に投写レンズ３を設置するためのものである。
部品収納部４９には、ここでは、具体的な図示は省略するが、光学部品４１２〜４１５，４１９，４２１〜４２３，４３１〜４３５を上方からスライド式に嵌め込むための複数の溝部が形成されている。また、この部品収納部４９のヘッド部５０に隣接する部分には、光学装置４４が設置される。
【００３６】
上ライトガイド４７は、下ライトガイド４６の部品収納部４９における光学装置４４の上方を除く上端開口部分を閉塞する。この上ライトガイド４７には、表裏を貫通して複数の開口部４６Ａが形成され、この開口部４６Ａから、ライトガイド４５内を冷却した空気が排出されることとなる。
【００３７】
（２−２）制御基板５の構造
図５に示すように、制御基板５は、上述したライトガイド４５の上ライトガイド４７の上方に配置される。この制御基板５は、ＣＰＵ（Ｃｅｎｔｒａｌ  Ｐｒｏｃｅｓｓｉｎｇ  Ｕｎｉｔ）等の演算処理装置が実装された回路基板として構成され、プロジェクタ１全体を制御する。この制御基板５は、前述のインターフェイス基板から出力される信号に基づいて、液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。また、この制御基板５は、前述の操作パネル２６の回路基板、および前述の図示しないリモコン受光モジュールから出力される操作信号を入力し、この操作信号に基づいてプロジェクタ１の構成部材に適宜、制御指令を出力する。
【００３８】
（２−３）電源ユニット６の構成
電源ユニット６は、光源装置４１１および制御基板５等に電力を供給するものであり、外装ケース２のフロントケース２３の長手方向に沿って配置されている。この電源ユニット６は、電源回路を備えた電源ブロック６１と、この電源ブロック６１の下方に配置されるランプ駆動ブロック（図示略）とを備えている。
電源ブロック６１は、インレットコネクタ２２Ｄ３に接続された電源ケーブルを通して外部から供給された電力をランプ駆動ブロックおよび制御基板５等に供給する。この電源ブロック６１は、入力される交流を低電圧の直流に変換するトランスや該トランスからの出力を所定の電圧に変換する変換回路等が片面に実装された回路基板と、この回路基板を覆うシールド部材としての筒状部材６１１とを備える。このうち、筒状部材６１１は、アルミニウムから構成され、両端が開口された略箱状に形成されている。
ランプ駆動ブロックは、前述した光源装置４１１に安定した電圧で電力を供給するための変換回路であり、電源ブロック６１から入力した商用交流電流は、このランプ駆動ブロックによって整流、変換されて、直流電流や交流矩形波電流となって光源装置４１１に供給される。
【００３９】
なお、このような電源ユニット６の側方には、排気ファン７２が設置されており、電源ユニット６を冷却した空気をルーバ７１が取り付けられた開口から排出している。また、この電源ユニット６と、ライトガイド４５の光源収納部４８との間には、ダクト７３が設置されており、光源収納部４８内の光源装置４１１を冷却した空気は、排気ファン７２により引き寄せられ、ダクト７３を通って、開口から排出される。
【００４０】
（３）電子機器用外装ケース２における操作パネル２６、基板８、及びボス９の構成
図８から図１１を用いて、電子機器用外装ケース２（以下、単に「外装ケース２」とすることもある）の外面に設置された操作パネル２６、及び外装ケース２の内部に設けられた基板８の構成を説明する。
図８は、外面に透明部材２６２が装着された操作パネル２６、及び外装ケース２の内部に設置された基板８を示す斜視図である。また、図９は、図８において操作パネル２６に装着されていた透明部材２６２を取り外した状態を示す斜視図である。
図８及び図９に示すように、操作パネル２６は、外装ケース２の外面に設置されており、また、当該操作パネル２６には、表示窓２６３及び操作ボタン２６１が設けられている。なお、図８に示される実施形態にあっては、操作パネル２６の上面には、当該操作ボタン２６１を囲むように、透明部材２６２が装着されている。
【００４１】
ここで、操作パネル２６に設けられている表示窓２６３は、略楕円状の小穴からなり、電源の入／切など、プロジェクタ１の動作状態等を表示するインジケータ機能を有し、かかる表示窓２６３は、外装ケース２の内部に設けられる、後記する発光ダイオード（ＬＥＤ）８１等の発光体の照射光を映し出すことにより、外部からプロジェクタ１の動作状態を確認可能とするものである。表示窓２６３の形状はこの他、円形状、角形状等の任意の形状とすることができる。
また、操作ボタン２６１は、後記するタクトスイッチ８２と連動して、プロジェクタ１の所望の操作を可能とする。
【００４２】
そして、透明部材２６２は、外装ケース２の外面において、前記した操作パネル２６の上面を覆うように装着される部材である。本実施形態において、透明部材２６２は、操作ボタン２６１に応じた部分がくり貫き加工されて穴部２６４が形成されているため、操作パネル２６の上面に嵌め込み装着することができる。なお、透明部材２６２は、合成樹脂を射出成形等の公知の成形手段を用いることにより成形される。
【００４３】
また、当該透明部材２６２は、操作パネル２６に対して着脱可能な部材である。前記したように、図９は、図８において操作パネル２６に装着されていた透明部材２６２を取り外した状態を示す斜視図であるが（図９において、透明部材２６２は上方に持ち上げた状態となっている）、図９に示されるように、操作パネル２６から透明部材２６２を取り外すと、操作パネル２６に設けられる操作ボタン２６１は突起した状態で外部に露出することとなる。また、操作パネル２６に設けられる表示窓２６３も、同様に外部に露出することとなる。
そして、透明部材２６２の操作パネル２６に設けられた表示窓２６３に応じた位置（表示窓対応部）２６５に対しては、後記するが、シボ加工による光拡散処理が施されている。
【００４４】
外装ケース２の内部に備えられる基板８は、前記した操作パネル２６が設けられている位置に対して略真下の位置に配設されており、また、当該基板８上には、発光体である発光ダイオード（ＬＥＤ）８１と、タクトスイッチ８２が実装されている。
ここで、発光体である発光ダイオード（ＬＥＤ）８１は、図示しない電源スイッチと連動しており、例えば、当該電源スイッチを「入」とすると点灯し、電源スイッチを「切」とすると消灯する。
また、タクトスイッチ８２は、プロジェクタ１の諸機能と連動しており、前記した操作ボタン２６１が押圧されてタクトスイッチ８２の上面部を接触することにより入力され、図示しない制御部を通じて、プロジェクタ１を適宜操作していくことになる。
【００４５】
図１０は、図８における、操作パネル２６及び外装ケース２内部の状態を示した断面図である。図１０に示すように、本実施形態においては、操作パネル２６に設けられている表示窓２６３から、基板８に実装された発光ダイオード（ＬＥＤ）８１に対して、当該発光ダイオード（ＬＥＤ）８１を囲むようにして、略錐台形状の中空部９１を有するボス９が形成されている。また、当該ボス９は、操作パネル２６の内面部から発光ダイオード（ＬＥＤ）８１に向かって延びるように、当該操作パネル２６と一体となって形成されている。
ここで、中空部９１の形状は、表示窓２６３から発光ダイオード（ＬＥＤ）８１へ向かって広がる錐台形状であれば、円錐台形状であってもよく、また、角錐台形状であってもよい。
このように、発光ダイオード（ＬＥＤ）８１が、操作パネル２６の表示窓２６３から延びた錐台形状の中空部９１を有するボス９により囲まれることにより、当該発光ダイオード（ＬＥＤ）８１から照射された光は、ボス９内の中空部９１内部の面により全反射され、収束した状態で表示窓２６３まで伝達されることになり、表示窓２６３を効率よく照射することとなる。
【００４６】
図１１は、図１０において、前記した略錐台形上の中空部９１を有したボス９及び中空部９１を表した部分拡大図である。図１０及び図１１に示されるように、操作パネル２６に装着されている透明部材２６２には、表示窓２６３に応じた位置（表示窓対応部）２６５が、深さが例えば約０．２ｍｍ程度に凹部加工されており、かつ、かかる凹部には、シボ加工により、光拡散処理が施されている。このように、透明部材２６２の表示窓２６３に応じた位置（表示窓対応部）２６５に光拡散処理を施すことにより、表示窓２６３を照射する光の指向性が調整され、どの方向から見ても明るくかつ視野角の広いインジケータ部を有する表示窓２６３となる。なお、当該光拡散処理については、光拡散インクを塗布して行う等、従来公知の処理手段を行うようにしてもよい。
また、本実施形態においては、操作パネル２６の直真下に設けられた基板８に実装される発光ダイオード（ＬＥＤ）８１は、表示窓２６３の真下より少し右側にずれた位置に固定・実装された状態となっているが、かかる状態であっても、表示窓２６３から延びた略錐台形の中空部９１を有するボス９により、照射光が表示窓２６３に対して収束して効率よく照射することになる。このように、基板８に実装された発光ダイオード（ＬＥＤ）８１の場所に限定されることなく、当該発光ダイオード（ＬＥＤ）８１の照射光は表示窓２６３に対して好適に照射されることとなる。発光ダイオード（ＬＥＤ）８１は、無論、表示窓２６３の真下の位置に固定・実装されていてもよい。
そして、ボス９の底面部９２と基板８の表面部８３には、例えば約０．１〜数ｍｍ程度のクリアランスが設けられており、ボス９の底面部９２と基板８の表面部８３が直接接しないようになっている。
【００４７】
図１０及び図１１を用いて、プロジェクタ１の操作パネルにおけるインジケータ機能を説明すると、まず、プロジェクタ１における図示しない電源スイッチを、「切」から「入」の状態にすると、発光ダイオード（ＬＥＤ）８１が点灯された状態となり、また発光ダイオード（ＬＥＤ）８１から照射された光は、当該発光ダイオード（ＬＥＤ）８１を囲むボス９内に形成された錐台形状の中空部９１内において全反射されて表示窓２６３まで伝達される。そして、表示窓２６３まで伝達された光は、操作パネル上部に装着された透明部材２６２の当該表示窓２６３に応じた位置（表示窓対応部）２６５を照射することとなるが、かかる表示窓対応部２６５にはシボ加工による光拡散処理が施されているため、照射光はどの方向からみてもムラなく明るい状態で外部から確認されることとなる。
【００４８】
（４）実施形態の効果
前述のような本実施形態によれば、次のような効果がある。
（４−１）プロジェクタ１を構成する外装ケース２に対して設けられた操作パネル２６に備えられた表示窓２６３から、外装ケース２内部に設けられた基板８上に実装された発光ダイオード（ＬＥＤ）８１を囲むボス９が形成されているため、当該発光ダイオード（ＬＥＤ）８１から照射された光を操作パネル２６に設けられた表示窓２６３に簡便に導くことができるばかりか、当該ボス９は外装ケース２と一体化しており別途導光部材を設ける必要もない。従って、部材点数の増加を防止することができ、製造工程や製造コストの減少を図ることができる電子機器用外装ケース２を好適に提供できる。
【００４９】
（４−２）当該ボス９の中空部９１は、表示窓２６３から発光ダイオード（ＬＥＤ）８１に向かって広がる錐台形状となっているため、表示窓２６３に対する発光ダイオード（ＬＥＤ）８１の位置決めをすることもなく、表示窓２６３に対して均一な照射状態となり、明るさのムラが生じることを防止することができ、インジケータ機能に優れた表示窓２６３を備えた電子機器用外装ケース２の提供を可能とする。
【００５０】
（４−３）本実施形態では、表示窓２６３を備えた操作パネル２６が外面に設けられており、前記操作パネル２６は透明部材２６２に覆われ、かかる透明部材２６２の操作パネル２６に設けられた表示窓２６３に応じた位置（表示窓対応部）２６５に対して光拡散処理が施されているため、基板８上に実装された発光ダイオード（ＬＥＤ）８１から照射された光は適宜拡散される。更には、かかる透明部材２６２における、操作パネル２６の表示窓２６３に対応する位置（表示窓対応部）２６５に対してシボ加工により施される光拡散処理により、指向性が調整され、どの方向から見ても明るくかつ視野角の広いインジケータ部を有する操作パネル２６ないしは電子機器用外装ケース２とすることができる。
【００５１】
（４−４）本実施形態のプロジェクタ１は、前記の外装ケースを備えているので、前記した作用効果を享受するプロジェクタ１となる。
【００５２】
（５）実施の形態の変形：
なお、本発明は前述の実施形態に限定されるものではなく、本発明の目的を達成できる範囲での変形、改良等は本発明に含まれるものである。
例えば、前記した実施形態においては、操作パネル２６は一つの透明部材２６２により覆われる態様を示したが、これには限定されず、透明部材２６２は分割された複数の部材からなるものとしてもよく、かかる複数の透明部材２６２により操作パネル２６を覆うようにしてもよい。
また、前記した実施形態においては、電子機器としてプロジェクタを例として示したが、これには限定されず、電子機器はパソコンやＯＨＰ（オーバーヘッドプロジェクタ）等としてもよい。また、光変調装置として液晶パネルを例として示したが、これには限定されず、光変調装置としてＤＬＰ（Ｄｉｇｉｔａｌ  Ｌｉｇｈｔ  Ｐｒｏｃｅｓｓｉｎｇ）等を適用してもよい。
その他、本発明の実施における具体的な構造及び形状は、本発明の目的及び効果を妨げない範囲で他の構造等としてもよい。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるプロジェクタのロアーケース及びフロントケースを上方から見た斜視図。
【図５】前記実施形態におけるプロジェクタの内部構造を示す斜視図。
【図６】前記実施形態における光学ユニットの光学系の模式図。
【図７】前記実施形態におけるライトガイドを示す斜視図。
【図８】前記実施形態における操作パネル（透明部材を装着した状態）を示す斜視図。
【図９】前記実施形態における操作パネル（透明部材を外した状態）を示す斜視図
【図１０】前記実施形態における操作パネル及び外装ケース内部の状態を示した断面図である。
【図１１】図１０におけるボス及び中空部を拡大した部分拡大図である。
【符号の説明】
１…プロジェクタ、２…電子機器用外装ケース、８…基板、９…ボス、２６…操作パネル、４１…インテグレータ照明光学系、４５…ライトガイド（光学部品用筐体）、８１…発光体（発光ダイオード）、８２…タクトスイッチ、９１…中空部、２６１…操作ボタン、２６３…表示窓、２６５…表示窓対応部
【図１】
2005043601.tif 000003
【図２】
2005043601.tif 000004
【図３】
2005043601.tif 000005
【図４】
2005043601.tif 000006
【図５】
2005043601.tif 000007
【図６】
2005043601.tif 000008
【図７】
2005043601.tif 000009
【図８】
2005043601.tif 000010
【図９】
2005043601.tif 000011
【図１０】
2005043601.tif 000012
【図１１】
2005043601.tif 000013